(57)【要約】【課題】  組立や開封を容易にでき、しかも、内容物に対する改竄をより確実に防止することの出来る包装箱を提供する。【解決手段】  胴部１に、当該胴部１の開口部２を覆う上蓋部３を延設し、前記上蓋部３の先端部に、前記胴部１の内部に差し込まれる差込片部２１を設け、前記差込片部２１に、前記差込片部２１の他の部分よりも差し込み長さの長い差込ガイド部２１ａを形成し、前記差込ガイド部２１ａとは異なる位置に対応する前記上蓋部３の位置に、孔部Ａを形成可能な指掛部２４と、前記上蓋部３の組立状態において、前記指掛部２４と前記胴部１とを連結する封緘手段５と、前記指掛部２４を操作して、前記孔部Ａを形成することにより表示可能とする開封済み表示部４３とを設けてある。【選択図】        図３
2005298049.tif 000002
【特許請求の範囲】
【請求項１】
胴部に、当該胴部の開口部を覆う上蓋部を延設し、前記上蓋部の先端部に、前記胴部の内部に差し込まれる差込片部を設けてある包装箱であって、
前記差込片部に、前記差込片部の他の部分よりも差し込み長さの長い差込ガイド部を形成し、
前記差込ガイド部とは異なる位置に対応する前記上蓋部の位置に、孔部を形成可能な指掛部と、
前記上蓋部の組立状態において、前記指掛部と前記胴部とを連結する封緘手段と、
前記指掛部を操作して、前記孔部を形成することにより表示可能とする開封済み表示部とを設けてある包装箱。
【請求項２】
前記胴部に、前記上蓋部の内側に折り畳まれる舌部を延設し、前記舌部に開封済み表示を設けてある請求項１記載の包装箱。
【請求項３】
前記封緘手段が、剥離後再形成不能な封緘テープである請求項１または２に記載の包装箱。
【発明の詳細な説明】
【技術分野】
【０００１】
本発明は、胴部に、当該胴部の開口部を覆う上蓋部を延設し、前記上蓋部の先端部に、前記胴部の内部に差し込まれる差込片部を設けてある包装箱に関する。
【背景技術】
【０００２】
従来、このような包装箱としては、図７に示すように、差込片部２１の差し込み長さを幅方向でほぼ一定に形成してあるとともに、前記胴部１の中央部に指掛部２４を設け、前記指掛部２４を引き剥がし破砕線２３に沿って切断容易に形成し、前記上蓋部３の組立状態において、前記指掛部２４から前記上蓋部３にわたって封緘テープ５を貼着してあるものが知られている（例えば特許文献１を参照）。
【０００３】
このような包装箱は、簡易包装として好適に用いられ、封緘テープだけを施した包装箱に比べ、前記封緘テープ５を剥がす必要がなく、前記指掛部２４を把持して、前記破砕線２３を切断しつつ、指掛部２４ごと上蓋部３を引き上げることによって容易に開封することができる。
【０００４】
【特許文献１】実開昭５７−１５６４２１号明細書
【発明の開示】
【発明が解決しようとする課題】
【０００５】
しかし、このような簡易包装による包装箱は、開封した後でも差込片部２１を再び胴部１の内部に差し込めば、未開封のものと混在していても、開封したものかどうかを判別するのが困難な場合が多く、容易には発見できないという問題点があった。そのため、前記包装箱に商品を収容して取引を行う際に、流通過程で前記包装箱を一旦開封して内容物を取り出し、内容物の数量に変更を加えたり、品質を低下させることが行われることがあった（以下、このような行為を改竄と称する）。
【０００６】
また、このような構成の包装箱は、正規に開封しなくても、前記包装箱を変形させると、上蓋部３と胴部１との間や差込片部２１と胴部１との間に隙間を形成させることが出来る場合がある。このような場合、さらに、改竄を巧妙に行い発覚しにくくすることが出来、上述の改竄が行われることがあった。特に高額な薬品、入手困難な薬品、取り扱いに注意を要する薬品等が抜き取られて不正に流通される問題が起きている。このような改竄は、流通過程で判別できずに、商品として消費者の元に達してはじめて判明するという場合が多く、発見が困難で、監視に万全を期すのは困難である。
【０００７】
一方、このような改竄を完全に防止すべく、前記包装箱全体をフイルム包装する等して包装状態をより厳密なものとすると、包装経費が嵩むとともに、前記包装箱の組立や開封が煩雑な操作を伴い、取り扱いが困難となる問題がある。
【０００８】
そこで、本発明は上記実状に鑑み、組立や開封を容易にでき、しかも、内容物に対する改竄をより確実に防止することの出来る包装箱を提供することを目的とする。
【課題を解決するための手段】
【０００９】
本発明の包装箱の特徴構成は、胴部に、当該胴部の開口部を覆う上蓋部を延設し、前記上蓋部の先端部に、前記胴部の内部に差し込まれる差込片部を設けてある包装箱であって、前記差込片部に、前記差込片部の他の部分よりも差し込み長さの長い差込ガイド部を形成し、前記差込ガイド部とは異なる位置に対応する前記上蓋部の位置に、孔部を形成可能な指掛部と、前記上蓋部の組立状態において、前記指掛部と前記胴部とを連結する封緘手段と、前記指掛部を操作して、前記孔部を形成することにより表示可能とする開封済み表示部とを設けてある点にある。
【００１０】
つまり、前記開口部に対して前記上蓋部を被せ、前記差込片部を前記開口部から前記胴部に沿わせて差し込み挿入することによって包装箱を組み立てることが出来る。
【００１１】
また、開封時には、前記差込ガイド部とは異なる位置に対応する前記上蓋部の位置に設けた指掛部に、押し破ったり引き剥がしたりする操作をすることにより、前記上蓋部に孔部を形成することが出来る。この際、前記封緘手段を剥がすことなく、前記指掛部を操作するだけで、前記封緘手段による前記差込片部の引き抜き規制が解除されるので、容易に開封作業を行うことが出来る。また、開封作業を行った後には、前記上蓋部に前記孔部が形成されるため、開封済み表示が視認可能となり、前記包装箱が開封済みであることが一目で識別できるようになる。従って、不正目的で開封した場合にも、容易に識別できるので、包装箱の内容物を改竄するのを抑止するのに役立つ。
【００１２】
尚、前記差込ガイド部と、前記上蓋部とは、共通の折り目に隣接することになるから、その折り目において隣接する位置を対応する位置と称するものとする。
【００１３】
このとき、前記差込片部に、前記差込片部の他の部分よりも差し込み長さの長い差込ガイド部を形成してあると、前記差込片部を前記胴部に差し込んで包装箱を組立てる際に、前記差込ガイド部を前記胴部に差し込み易い。そして、一旦、前記差込ガイド部を差し込んだ後は、前記差込片部の他の部分を前記胴部に滑らせながら差し込むことが出来る。このため、作業性良く組立作業を行うことが出来る。
【００１４】
また、前記差し込みガイド部が設けてあると、前記差込片部の一部分だけを前記胴部から引き抜こうとしても、前記差込ガイド部を他の部分より長い差込長さに形成してあるから、前記差込片部の一部分を胴部から引き抜く前に、その力が差し込み長さの短い他の部分に設けられた前記封緘手段まで伝達し、引き抜きが規制される。このため、前記差込片部の一部分のみ引き抜いて、前記開口部に隙間を形成するという操作が困難になる。従って、前記包装箱の内容物を取り扱うことは困難で内容物を改竄することは困難になる。
【００１５】
また、前記上蓋部の組立状態において、前記指掛部と前記胴部とを封緘手段によって連結してあると、前記差込片部の前記開口部からの引き抜きを規制することが出来る。そのため、前記包装箱を開封することなしに前記上蓋部を持ち上げて前記開口部と前記上蓋部との間に隙間を形成することが困難になる。
【００１６】
前記胴部に、前記上蓋部の内側に折り畳まれる舌部を延設し、前記舌部に開封済み表示を設けてあることが好ましい。
【００１７】
つまり、前記舌部は前記上蓋部の内側に折りたたまれるから、開封されて前記孔部が形成されることにより前記指掛部に臨む部分が視認可能となる。その部分に開封済み表示を設けると、他部材を用意することなく、容易に開封済み表示を形成することが出来る。また、前記包装箱の外面意匠の印刷時に、併せて作製することが出来るので製造工程上好適である。
【００１８】
また前記封緘手段が、剥離後再形成不能な封緘テープであることが好ましい。
【００１９】
つまり、改竄目的で前記封緘テープを剥がしたとしても、その封緘テープは、再形成不能に形成してあるので、その封緘テープの剥離した部分をもって、前記包装箱が開封済みであることを一目で識別できるようになる。従って、一旦、封緘テープを剥離すると、その後に貼り直したとしても、封緘テープを剥離したことが識別できるため包装箱の内容物を改竄するのを抑止するのに役立つ。
【発明を実施するための最良の形態】
【００２０】
以下、本発明の実施例を図面に基づいて説明する。
本発明の包装箱は、図１〜図３に示すように、正面部１１、背面部１２、両側面部１３、１４、底部１５を有する胴部１を設け、前記胴部１の開口部２を覆う上蓋部３を、前記背面部１２の開口部２側縁部に延設してある。また、両側面部１３、１４に、前記開口部２側に折り曲げて前記上蓋部３の内側に折り畳まれる舌部４１、４２を設けてある。さらに、前記上蓋部３の先端部に、前記開口部２から前記胴部１内に前記正面部１１に沿って差し込まれる差込片部２１を設けてある。また、前記差込片部の側面部１４側（一端側）に、前記差込片部２１の他の部分よりも差し込み長さの長い差込ガイド部２１ａを形成してある。
【００２１】
尚、前記胴部１は前記包装箱に充填される内容物の形状等に応じて任意の形態をとることが出来る。また、前記差込ガイド部２１ａは、前記差込片部の一端側に形成したが、前記差込片部の幅方向における任意の箇所に形成することが出来る。
【００２２】
前記上蓋部３の前記側面部１３側（他端側）の前記差込ガイド部とは異なる位置に対応する前記上蓋部３の位置に、前記上蓋部３を把持可能にする指掛孔２２を切込形成してある。前記指掛孔２２から、前記上蓋部３の先端部側に延びる一対の破砕線２３を設けて指掛部２４を形成してある。前記指掛部２４は、前記上蓋部３における前記指掛孔２２と前記破砕線２３と先端部とに囲まれた部分を引き上げ切断容易にして、孔部Ａを形成容易にしてある。
【００２３】
前記指掛部２４は、切断容易に形成すれば良く、特に指掛孔２２を設けなくても、破砕線のみを設けて形成することも出来る。また、前記孔部Ａを形成した後の指掛部２４は、切除されても前記上蓋部３に連結したままの状態で残存してもよいが、切除されるものの方が、開封後の見栄えが優れ、形成された孔部Ａから包装箱内部を確認する際にも邪魔にならないので好ましい。
尚、本実施形態では指掛部２４を引き剥がすことによって破砕線２３を破砕する構成としたが、前記孔部Ａを形成することが出来れば、特に制限はなく、例えば、指掛部２４を押込むことによって破砕線２３を破砕する構成とすることもできる。
【００２４】
前記舌部４１には、組立状態において前記孔部Ａから視認できる部分に、開封済み表示４３を設けてある。この包装箱を通常の開封方法によって開封すると、その指掛部２４を切り取る前には視認出来なかった開封済み表示部４３が、前記指掛部２４を切り取った後に孔部Ａを介して視認可能となる。そのため、一旦開封された包装箱と未開封の包装箱とを容易に識別できる。また、前記舌部４１には、組立状態において前記指掛孔２２から視認できる部分に、ここから開封すべき事を示す開封口表示４４が設けてある。もちろん、開封済み表示部４３と開封口表示４４は、必ずしも舌部４１に設ける必要はなく、例えば、上蓋部３の内面側に貼り合せた別部材に設けても構わない。
【００２５】
尚、前記開封済み表示４３は、前記包装箱の外観から容易に識別可能であれば、その表示には特に制限はなく、色や文字、形状、それらの組み合わせ等により形成することが出来る。また、前記開封口表示４４は、前記上蓋部３上面に形成してあっても良く、特に設けなくても問題はない。
【００２６】
前記包装箱には、前記上蓋部３の組立状態において前記指掛部２４から前記正面部１１にわたって封緘手段としての封緘テープ５を貼着してあり、これにより前記指掛部２４と前記胴部１とを連結する。側面部１４側では、前記差込片部２１が前記開口部２から前記胴部１の内部に長く差し込まれる差込ガイド部２１ａを備えるから、包装箱を変形させたとしても、前記胴部１と前記上蓋部３との間に隙間を作り難くなる。このため、このような場合では側面部１３側のみを封緘すればよく、本実施形態においては、側面部１３側に前記指掛部２４を設けて、前記封緘テープ５が貼着してある。
尚、前記差込片部２１において差込ガイド部２１ａを別の位置に設けた場合には、それに対応して上述のごとく前記隙間を形成し難くなる位置に前記指掛部２４及び前記封緘手段を１つ又は２つ以上を設けることが出来る。
【００２７】
本実施形態の包装箱では、図４に示すように、通常の開封操作を経ずに前記封緘テープ５を剥がすことなく、前記包装箱を不正開封しようとすると、側面部１４側から差込片部２１を引き抜くことになる。しかし、側面部１４側の差込片部２１には差込ガイド部２１ａを有しているため、前記上蓋部３の側面部１３側を封緘テープ５によって固定されたまま、前記差込ガイド部２１ａを前記胴部１から引き抜くことは困難となる。このため、前記上蓋部３と胴部１との間に隙間を形成することは難しくなり、包装箱の内容物を不正に抜き取る、入れ替える等の改竄を防止することが出来る。
【００２８】
前記封緘手段は、前記指掛部２４と前記胴部１とを連結可能であれば良く、任意の形態のテープ、シール等を利用することが出来るが、図６に示すように、剥離後再形成不能な封緘テープ５が好適で、特に、剥離部分に開封済みを容易に判別することの出来る切り込み目印５１の現れるものが好適に用いられる。この切り込み目印５１は、封緘テープ５の剥離時にほぐれて、再度整列することが困難となるように形成してあるから、再貼着した場合に不自然な乱れが生じ、開封済みであることが一目で認識できるものである。また、この切り込み目印には、種々の模様のものを採用することが出来る。
【００２９】
このような包装箱を用いる際には、まず、胴部１を組み立て固定する。この状態で上方に開口される開口部２から前記包装箱内に内容物を装填する。さらに、前記胴部１の開口部２を覆って両舌部１３、１４を折り曲げ、さらに上蓋部３を折り曲げ形成し、蓋をする。そして、上蓋部３と胴部１とを連結する封緘テープ５を貼着して簡易包装された包装箱とする。
開封する際には、この包装箱は、通常、前記指掛孔２２に指をかけ、破砕線２３に沿って前記切取領域Ａの指掛部２４を引き上げて切断する。前記指掛部２４を切り取ると、前記孔部Ａに前記開封済み表示部４３が視認可能に表示される。これにより、前記差込片部２１は、前記開口部２から引き抜き可能となり前記上蓋部３を起立させて開口部２を解放し、内容物を取り出し可能にすることが出来る。
従って、正規の開封方法によって開封すれば、前記開封済み表示部４３が表示される。また、前記封緘テープを剥がすことによって不正に開封すれば、上述のごとく開封したことが判別できる状態となる。このため、容易に改竄が判別できるようになるので、不正開封は容易に発覚することになり、不正開封を抑制することが出来る。
【００３０】
本発明に係る包装箱は、本実施形態に限定されるものではなく、図５に示すように２つの部分を重ね合わせることで底部１５が形成されるもの等、種々の組み立て形態のものを利用できる。
また、正面部１１には、図５のように封緘テープ５の貼着された部分の近傍を囲うＵ字状の切取線１１ａを設けてあってもよい。前記封緘テープ５の貼着されている前記正面部１１の切取線１１ａ内の領域に形成される切取片２４を続けて切り取ると、前記胴部１に貼着して残存する封緘テープ５を容易に除去できる。
また、本実施形態では、指掛部２４を前記胴部１側ほど先細りになるように破砕線２３を設けて構成したが、図５のように等幅に設ける等、種々の形態を適用できる。
【００３１】
本発明の包装箱は、本実施形態のように１つの部材を組立形成するものの方が、製造工程上好ましいが、別に複数の部材を貼り合わせることによって形成するものでも問題なく本発明の目的を達成することができる。
また、本発明の包装箱を形成する材料は、紙、ダンボール、樹脂、またはそれらの組み合わせ等、様々なものが適用可能である。
【産業上の利用可能性】
【００３２】
包装箱の内容物が不正に改竄されるのを効果的に防止することが出来るため、特に医療用の薬品や、毒物、劇物等の実験試薬を輸送する場合に適用することが出来る。
【図面の簡単な説明】
【００３３】
【図１】本発明の包装箱の展開図
【図２】本発明の包装箱の組み立て説明図
【図３】本発明の包装箱の開封作用説明図
【図４】包装箱の改竄作用説明図
【図５】本発明の包装箱の異なる形態を示す展開図
【図６】封緘テープの概略図
【図７】従来の包装箱の開封作用説明図
【符号の説明】
【００３４】
１      胴部
２      開口部
３      上蓋部
５      封緘手段
２１    差込片部
２１ａ  差込ガイド部
２４    指掛部
４３    開封済み表示部
Ａ      孔部
【図１】
2005298049.tif 000003
【図２】
2005298049.tif 000004
【図３】
2005298049.tif 000005
【図４】
2005298049.tif 000006
【図５】
2005298049.tif 000007
【図６】
2005298049.tif 000008
【図７】
2005298049.tif 000009